(57)【要約】【課題】設置段階で動的に自身の地理的位置情報を特定する安価な実現方式を備える基地局装置、移動体通信システムを提供することを目的とする。【解決手段】本発明に係る基地局装置１１は、外部の端末装置と接続されるローカルＩＦ部２、記憶部、外部の位置情報サーバと接続される有線インターフェース部３を備え、端末装置により検索される端末装置の地理的位置情報を自身の地理的位置情報として記憶部に記憶し、地理的位置情報を位置情報サーバへ送信する。【選択図】  図２
2010041656.tif 000002
【特許請求の範囲】
【請求項１】
外部の端末装置と接続されるローカルインターフェース部と、
記憶部と、
外部の位置情報サーバと接続される有線インターフェース部と、を備え、
前記端末装置により検索される前記端末装置の地理的位置情報を自身の地理的位置情報として前記記憶部に記憶し、前記地理的位置情報を前記位置情報サーバへ送信する、
基地局装置。
【請求項２】
前記基地局装置は、各種設定情報を管理する基地局情報管理部を備え、
前記各種設定情報は前記端末装置により設定される、
請求項１に記載の基地局装置。
【請求項３】
前記ローカルインターフェース部は、ｉＲＤＡまたは、Ｂｌｕｅｔｏｏｔｈ（登録商標）、またはＵＳＢである、
請求項１または請求項２に記載の基地局装置。
【請求項４】
請求項１から請求項３のいずれかに記載の基地局装置と、
前記基地局装置と前記ローカルインターフェース部により接続され、自端末装置の地理的位置情報を検索する機能を備える端末装置と、
前記基地局装置と前記有線インターフェース部により接続され、複数の基地局装置の地理的位置情報を保持する位置情報サーバと、を備える、
移動体通信システム。
【請求項５】
外部に位置する複数の周辺基地局と接続される無線インターフェース部と、
前記複数の周辺基地局から発せられる複数の報知信号の受信レベルを測定する測定部と、
外部の位置情報サーバと接続される有線インターフェース部と、を備え、
前記複数の報知信号の受信レベルを前記位置情報サーバへ送信する、
基地局装置。
【請求項６】
請求項５に記載の基地局装置と、
前記基地局装置と前記無線インターフェース部により接続され、前記基地局装置の外部に位置する複数の周辺基地局と、
前記基地局装置と前記有線インターフェース部により接続され、複数の基地局装置の地理的位置情報を保持する位置情報サーバと、を備え、
前記位置情報サーバは、前記複数の報知信号の受信レベルに基づき前記基地局装置の地理的位置情報を推定し保持する、
移動体通信システム。
【請求項７】
外部の端末装置と接続されるローカルインターフェース部と、
記憶部と、
外部に位置する複数の周辺基地局と接続される無線インターフェース部と、
前記複数の周辺基地局から発せられる複数の報知信号の受信レベルを測定する測定部と、
外部の位置情報サーバと接続される有線インターフェース部と、を備え、
自装置の地理的位置情報の検索にあたり、前記端末装置により検索される前記端末装置の地理的位置情報を自身の地理的位置情報として前記記憶部に記憶し、前記地理的位置情報を前記位置情報サーバへ送信する、または、前記複数の報知信号の受信レベルを前記位置情報サーバへ送信する、のいずれかを選択する、
基地局装置。
【請求項８】
前記基地局装置が前記位置情報サーバから認識できない状態となった場合、前記位置情報サーバは前記保持している前記基地局装置の前記地理的位置情報を無効とする、
請求項４または請求項６に記載の移動体通信システム。
【発明の詳細な説明】
【技術分野】
【０００１】
本発明は、基地局装置および移動体通信システムに関する。
【背景技術】
【０００２】
従来の、３Ｇ（第３世代携帯電話）等における公衆用途の基地局装置では、事業者により設置場所が事前に決定されるため、事業者が設置前段階で設置場所の地理的位置情報を知ることができ、設置位置の地理的情報は上位装置の局データに静的に設定することができた。よって、基地局が動的に地理的位置情報を特定する機能を具備する必要はなかった。
【０００３】
また、従来技術として基地局を利用し端末装置において現在位置を判定するシステムが、特許文献１，２に示されている。
【０００４】
【特許文献１】特開平１０−１３６４３７号公報
【特許文献２】特開２００１−２８９９３３号公報
【発明の開示】
【発明が解決しようとする課題】
【０００５】
しかしながら、今後は法改正に伴いユーザ宅内に自由に基地局を設置できるようになるため、設置段階で動的に地理的位置情報を特定し、上位装置及び基地局装置自身に当該情報を設定する必要がある。また、本機能を必要とする基地局は、超小型の個人用途の場合が多いため、安価な実現方式が求められる。特許文献１，２に示されたシステムは、移動機すなわち端末装置の位置特定を対象とするものであり、基地局の位置特定を対象とするものではない。
【０００６】
この発明は上記のような問題点を解消するためになされたもので、設置段階で動的に自身の地理的位置情報を特定する安価な実現方式を備える基地局装置、移動体通信システムを提供することを目的とする。
【課題を解決するための手段】
【０００７】
本発明に係る基地局装置は、外部の端末装置と接続されるローカルインターフェース部、記憶部、外部の位置情報サーバと接続される有線インターフェース部を備え、端末装置により検索される端末装置の地理的位置情報を自身の地理的位置情報として記憶部に記憶し、地理的位置情報を位置情報サーバへ送信する。
【０００８】
本発明に係る移動体通信システムは、基地局装置、基地局装置とローカルインターフェース部により接続され、自端末装置の地理的位置情報を検索する機能を備える端末装置、基地局装置と有線インターフェース部により接続され、複数の基地局装置の地理的位置情報を保持する位置情報サーバを備える。
【発明の効果】
【０００９】
本発明に係る移動体通信システムは、基地局装置、端末装置、位置情報サーバを備えており、基地局装置は地理的位置情報の検索ができる端末装置と接続可能な構成が採用されている。また、端末装置により検索される端末装置の地理的位置情報を自身の地理的位置情報として記憶部に記憶し、地理的位置情報を位置情報サーバへ送信する。従って、基地局装置は設置段階で動的に地理的位置情報を特定し、位置情報サーバ及び基地局装置自身に当該情報を設定することが可能である。また、ＧＰＳ等を利用した地理的位置情報の検索機能を有する端末を利用するため、基地局自身に地理的位置情報の検索機能を具備する必要がなく、本方式は、低コストで、課題解決を図ることができる手段であると言える。
【発明を実施するための最良の形態】
【００１０】
以下、この発明をその実施の形態を示す図面に基づいて具体的に説明する。
【００１１】
＜実施の形態１＞
（構成）
図１は、本実施の形態に係る移動体通信システムの構成を示す図である。基地局装置１１、自端末装置の地理的位置情報を検索する機能を備える端末装置１０、複数の基地局装置の地理的位置情報を保持する位置情報サーバ１２により構成される。基地局装置１１と端末装置１０は短距離インターフェース１３で接続されており、基地局装置１１と位置情報サーバ１２は有線配線１４で接続されている。
【００１２】
図２は、本実施の形態に係る基地局装置１１の構成図である。基地局装置１１は、基地局装置の各種設定情報を管理する基地局情報管理部１と、端末装置１０と連携して地理的位置情報を特定する際に、外部の端末装置１０と短距離インターフェース１３を介して接続され通信するためのローカルＩＦ部（ローカルインターフェース部）２を備える。また、外部の位置情報サーバ１２と接続され通信を行うための有線ＩＦ部（有線インターフェース部）３と、外部に位置する複数の周辺基地局と無線接続され報知信号を受信するための無線ＩＦ部（無線インターフェース部）５と、複数の周辺基地局から発せられる複数の報知信号の受信レベルを測定するための測定部４とを有する。上述した短距離インターフェース１３は、ｉｒＤＡ、ＵＳＢまたはＢｌｕｅｔｏｏｔｈ（登録商標）等を示す。また、図示していないが基地局装置１１はメモリ（記憶部）を備える。
【００１３】
なお、無線ＩＦ部５、測定部４は、実施の形態２において使用するブロックであるが、このように本実施の形態で用いるブロックと並存してもよい。
【００１４】
（動作）
次に、本実施の形態に係る移動体通信システムの動作の説明を行う。
【００１５】
基地局装置１１からの地理的位置情報の検索の要求を受け、端末装置１０はＧＰＳ等を利用した地理的位置情報の検索（既存技術）を実施する。図２において、端末装置１０は、地理的位置情報の検索結果を、基地局装置１１に通知する。基地局装置１１は端末装置１０より通知を受けた地理的位置情報を自身の地理的位置情報として自身のメモリに記憶し、有線回線１４で接続された位置情報サーバ１２に地理的位置情報を送信する。基地局装置１１からの地理的位置情報の通知を受けた位置情報サーバ１２は、通知の内容に基づき、自身が管理する基地局毎の位置情報を更新する。なお、基地局装置１１が位置情報サーバ１２から認識できない状態となった場合、位置情報サーバ１２は保持している基地局装置１１の地理的位置情報を無効としてもよい。
【００１６】
図３は、基地局装置１１が地理的位置情報を検索実施する際の動作フローを示す。ステップＳ１にてローカルＩＦ部２に端末装置１０が接続されたことを検出した基地局装置１１は、ステップＳ２にて自身の地理的位置情報が未設定の場合、ステップＳ３にて端末装置１０に地理的位置情報の検索実施を要求する。地理的位置情報が設定されている場合は、要求を行わず終了する。
【００１７】
ステップＳ４にて端末装置１０からの地理的位置情報の検索結果の通知を受けた基地局装置１１は、ステップＳ５にてメモリに地理的位置情報を保存し、ステップＳ６にて位置情報サーバ１２に地理的位置情報を通知する。
【００１８】
なお、基地局情報管理部１は基地局装置１１の各種設定情報を管理するが、各種設定情報は端末装置１０により設定されてもよい。また、上述したメモリは基地局情報管理部１に含まれていてもよい。
【００１９】
（効果）
本実施の形態に係る基地局装置１１は、地理的位置情報の検索ができる端末装置１０と接続可能な構成が採用されており、端末装置１０により検索される端末装置１０の地理的位置情報を自身の地理的位置情報としてメモリに記憶するとともに位置情報サーバ１２へ送信する。そのため、設置段階で動的に地理的位置情報を特定し、位置情報サーバ１２及び基地局装置１１自身に当該情報を設定することが可能である。また、ＧＰＳ等を利用した地理的位置情報の検索機能を有する端末装置１０を利用するため、基地局装置１１自身に地理的位置情報の検索機能を具備する必要がなく、本方式は、低コストで、課題解決を図ることができる手段であると言える。
【００２０】
＜実施の形態２＞
（構成）
図４は、本実施の形態に係る移動体通信システムの構成を示す図である。基地局装置２４、基地局装置２４の外部に位置する複数の周辺基地局２３，２５、複数の基地局装置の地理的位置情報を保持する位置情報サーバ２６により構成される。基地局装置２４および周辺基地局２３，２５は、それぞれ位置情報サーバ２６と有線配線で接続されており、基地局装置２４と周辺基地局２３，２５は、無線接続されている。
【００２１】
図４において、周辺基地局２３のサービスエリア２０と基地局装置２４のサービスエリア２１と周辺基地局２５のサービスエリア２２があり、基地局装置２４は全てのサービスエリアの報知信号を受信できる場所に設置されている。また、周辺基地局２３と周辺基地局２５は位置情報サーバ２６に地理的位置情報が登録されているが、基地局装置２４は位置情報サーバ２６に地理的位置情報が登録されていないことを前提とする。
【００２２】
図４に示す基地局装置２４の内部構成は、実施の形態１において図２で示した基地局装置１１と同様であるので、ここでの詳細な説明は省略する。基地局装置２４は周辺基地局２３，２５と無線ＩＦ部５により接続され、位置情報サーバ２６と有線ＩＦ部３により接続される。
【００２３】
（動作）
次に、本実施の形態に係る移動体通信システムの動作の説明を行う。
【００２４】
基地局装置２４は、周辺基地局２３，２５の報知信号を受信し、周期的に受信レベルを測定する。また、受信レベルの測定結果と基地局ＩＤを測定結果（以降、周辺基地局測定結果リストと略す。）として位置情報サーバ２６に送信、通知する。
【００２５】
位置情報サーバ２６は、自身が管理する周辺基地局２３，２５の地理的位置情報と、基地局装置２４より通知された周辺基地局測定結果リストに含まれる周辺基地局２３，２５の報知信号の受信レベル測定値から、基地局装置２４の地理的位置情報を推定し、位置情報サーバ２６が所有している基地局装置に関する地理的位置情報テーブルに保持する。すなわち、位置情報サーバ２６は、複数の報知信号の受信レベルに基づき基地局装置２４の地理的位置情報を推定し保持する。なお、基地局装置２４が位置情報サーバ２６から認識できない状態となった場合、位置情報サーバ２６は保持している基地局装置２４の地理的位置情報を無効としてもよい。
【００２６】
図５，図６は、基地局装置２４と位置情報サーバ２６が連携して地理的位置情報を検索実施する際の、基地局装置２４の動作フローを示す。ステップＳ１１にて基地局装置２４は周辺基地局２３，２５が送信する報知信号を受信し、ステップＳ１２にて報知信号の受信レベルを測定し、ステップＳ１３にて報知信号より基地局ＩＤを読み出す。ステップＳ１４にて基地局ＩＤと受信レベルをリスト化（周辺基地局測定結果リスト）し、メモリに保持する。さらに、図６に示すように、ステップＳ１５にて一定周期の契機（タイムアウトイベント）を受けて、ステップＳ１６にて周辺基地局測定結果リストを位置情報サーバ２６に通知する。
【００２７】
図７は、基地局装置２４と位置情報サーバ２６が連携して地理的位置情報を検索実施する際の、位置情報サーバ２６の動作フローを示す。図７において、ステップＳ１７にて周辺基地局測定結果リストを受けた位置情報サーバ２６は、ステップＳ１８にて周辺基地局測定結果リストに含まれる周辺基地局２３，２５の地理的位置情報を読み出し、ステップＳ１９にて周辺基地局２３，２５の地理的位置情報と受信レベルより、周辺基地局測定結果リストを通知した基地局装置２４の地理的位置情報を推定し、メモリに保持する。
【００２８】
なお、基地局装置２４は、自装置の地理的位置情報の検索にあたり、実施の形態１に示した方法、すなわち端末装置１０により検索される端末装置１０の地理的位置情報を自身の地理的位置情報としてメモリに記憶し、地理的位置情報を位置情報サーバ１２へ送信する、または、本実施の形態２に示した方法、すなわち複数の報知信号の受信レベルを位置情報サーバ２６へ送信する、のいずれかを選択的に実施できるよう構成されても良い。
【００２９】
（効果）
本実施の形態に係る基地局装置２４は、周辺基地局を地理的位置の推定に利用するため、ユーザが地理的位置の検索機能を具備する端末を所持していない場合にも利用可能である。
【図面の簡単な説明】
【００３０】
【図１】この発明の実施の形態１のシステム構成を示す図である。
【図２】この発明の実施の形態１，２の基地局装置の構成を示す図である。
【図３】この発明の実施の形態１の基地局装置の動作を示すフローチャートである。
【図４】この発明の実施の形態２の システム構成を示す図である。
【図５】この発明の実施の形態２の基地局装置の動作を示すフローチャートである。
【図６】この発明の実施の形態２の基地局装置の動作を示すフローチャートである。
【図７】この発明の実施の形態２の位置情報サーバの動作を示すフローチャートである。
【符号の説明】
【００３１】
１  基地局情報管理部、２  ローカルＩＦ部、３  有線ＩＦ部、４  測定部、５  無線ＩＦ部、１０  端末装置、１１，２４  基地局装置、１２，２６  位置情報サーバ、１３  短距離インターフェース、１４  有線回線、２０，２１，２２  サービスエリア、２３，２５  周辺基地局。
【図１】
2010041656.tif 000003
【図２】
2010041656.tif 000004
【図３】
2010041656.tif 000005
【図４】
2010041656.tif 000006
【図５】
2010041656.tif 000007
【図６】
2010041656.tif 000008
【図７】
2010041656.tif 000009